(57)【特許請求の範囲】
【請求項１】
流入口１４と流出口１５を備えたキャップ本体１０を容器体へ装着させると共に、前記キャップ本体１０内へ操作筒３０を前後動自在に嵌合させ、該操作筒３０内に前記流入口１４と流出口１５とのそれぞれへ下面開口３５と上面開口３４とを介して連通可能な計量室３３を設けると共に、前記操作筒３０を後方へ弾発付勢するばね材２０を設け、
前記容器体の倒立でキャップ本体１０の流入口１４と計量室３３の下面開口３５を介して前記計量室３３内へ容器体内容物が流入可能に設け、
前記操作筒３０の押込みで前記計量室３３の下面開口３５が閉鎖されて前記計量室３３の上面開口３４がキャップ本体１０の流出口１５へ連通することにより、前記計量室３３内の前記容器体内容物が前記流出口１５から流出可能に設けた計量キャップにおいて、
前記キャップ本体１０の左右両側壁に窓部１７を設け、前記ばね材２０の基端部を前記窓部１７の周縁部へ一体に連結させると共に、先端部を前記操作筒３０へ係合させた
ことを特徴とする計量キャップ。
【請求項２】
前記ばね材２０に前方へ凸の弯曲部を形成すると共に、前記ばね材の基端部を前記窓部の下側面へ連結させたことを特徴とする請求項１記載の計量キャップ。
【請求項３】
前記ばね材２０の基端部を前記窓部１７の下側面から起立する起立部２１に形成して、該起立部より上方のばね材部分を後方へ凸の弯曲部２２に形成すると共に、該後方へ凸の弯曲部と前記ばね材先端部との間のばね材部分を前方へ凸の弯曲部２３に形成したことを特徴とする請求項１又は２記載の計量キャップ。
【請求項４】
前記前方へ凸の弯曲部２３を斜め下方へ膨出させたことを特徴とする請求項２又は３記載の計量キャップ。
【請求項５】
Ｕ字状に屈曲させたばね材２０の一対の基端部２４ａ、２４ｂを前記窓部１７の下側面へ一体に連結させると共に、該ばね材の上下中間部を前方へ凸の弯曲部に形成したことを特徴とする請求項１記載の計量キャップ。
【請求項６】
前記ばね材２０の先端部を前記操作筒３０の左右両側面に形成した突部３６へ係合させたことを特徴とする請求項１から５のいずれか１項記載の計量キャップ。
【請求項７】
前記操作筒３０は容器体内容物が視認可能な透明材または半透明材からなることを特徴とする請求項１から６のいずれか１項記載の計量キャップ。
【請求項８】
前記キャップ本体１０は剛性かつ弾性を有する材質からなることを特徴とする請求項１から７のいずれか１項記載の計量キャップ。
【発明の詳細な説明】
【技術分野】
【０００１】
本発明は容器体内容物を定量的に取り出すために用いられる計量キャップに関する。
【背景技術】
【０００２】
容器体の口頸部へ嵌合させたキャップ本体に流入孔と流出孔を設けると共に、操作筒をキャップ本体内へばね材の付勢力に抗して押し込み可能に嵌合させ、さらに操作筒内に上下両面開口の計量室を設け、該開口を介して計量室を流入孔と流出孔とに連通可能に設け、容器体の倒立で計量室内へ容器体内容物が流入可能に、操作筒の押し込みで流入孔が閉鎖されて流出孔が開口することで、計量室内の容器体内容物が流出孔から流出可能に設けた計量キャップが従来技術として知られている。
【先行技術文献】
【特許文献】
【０００３】
【特許文献１】特開２００２−１６６９５９号公報
【発明の概要】
【発明が解決しようとする課題】
【０００４】
しかしながら、従来技術は、操作筒を弾発付勢するためのばね材が他の部品とは別体であるため、部品点数の削減および組立容易性という要請に相反するものとなっていた。
【０００５】
本発明は、上記課題を解決するためになされたもので、部品点数が削減可能な計量キャップを提供することを目的とする。
【課題を解決するための手段】
【０００６】
上記課題を解決するために、本発明は、流入口１４と流出口１５を備えたキャップ本体１０を容器体へ装着させると共に、前記キャップ本体１０内へ操作筒３０を前後動自在に嵌合させ、該操作筒３０内に前記流入口１４と流出口１５とのそれぞれへ下面開口３５と上面開口３４とを介して連通可能な計量室３３を設けると共に、前記操作筒３０を後方へ弾発付勢するばね材２０を設け、
前記容器体の倒立でキャップ本体１０の流入口１４と計量室３３の下面開口３５を介して前記計量室３３内へ容器体内容物が流入可能に設け、
前記操作筒３０の押込みで前記計量室３３の下面開口３５が閉鎖されて前記計量室３３の上面開口３４がキャップ本体１０の流出口１５へ連通することにより、前記計量室３３内の前記容器体内容物が前記流出口１５から流出可能に設けた計量キャップにおいて、
前記キャップ本体１０の左右両側壁に窓部１７を設け、前記ばね材２０の基端部を前記窓部１７の周縁部へ一体に連結させると共に、先端部を前記操作筒３０へ係合させたことを特徴とする。
【０００７】
また、本発明は、前記ばね材２０に前方へ凸の弯曲部を形成すると共に、前記ばね材の基端部を前記窓部の下側面へ連結させたことを特徴とする。
【０００８】
さらに、本発明は、前記ばね材２０の基端部を前記窓部１７の下側面から起立する起立部２１に形成して、該起立部より上方のばね材部分を後方へ凸の弯曲部２２に形成すると共に、該後方へ凸の弯曲部と前記ばね材先端部との間のばね材部分を前方へ凸の弯曲部２３に形成したことを特徴とする。
【０００９】
さらに、本発明は、前記前方へ凸の弯曲部２３を斜め下方へ膨出させたことを特徴とする。
【００１０】
さらに、本発明は、Ｕ字状に屈曲させたばね材２０の一対の基端部２４ａ、２４ｂを前記窓部の下側面へ一体に連結させると共に、該ばね材の上下中間部を前方へ凸の弯曲部に形成したことを特徴とする。
【００１１】
さらに、本発明は、前記ばね材２０の先端部を前記操作筒の左右両側面に形成した突部３６へ係合させたことを特徴とする。
【００１２】
さらに、本発明は、前記操作筒３０は容器体内容物が視認可能な透明材または半透明材からなることを特徴とする。
【００１３】
さらに、本発明は、前記キャップ本体１０は剛性かつ弾性を有する材質からなることを特徴とする。
【発明の効果】
【００１４】
本発明は、ばね材２０の基端部を窓部１７の周縁部へ一体に連結させたので、ばね材をキャップ本体１０と一体成形することができ、したがって、部品点数の削減および組立容易性を図ることができる。
【００１５】
また、本発明は、ばね材２０に前方へ凸の弯曲部を設けたので、操作筒３０の前後動に際してばね材２０に力がかかっても支点としてのばね材の基端部に荷重が集中することがなく、したがって、ばね材の基端部が破損するおそれがない。
【００１６】
さらに、本発明は、ばね材の基端部を窓部の下側面から一体に起立する起立部２１に形成して、該起立部より上方のばね材部分を後方へ凸の弯曲部２２に形成すると共に、該後方へ凸の弯曲部とばね材先端部との間のばね材部分を前方へ凸の弯曲部２３に形成したので、ばね材の基端部には殆ど力が作用することがなく、したがって、ばね材が破損するという問題が生じない。
【００１７】
さらに、本発明は、ばね材の前方へ凸の弯曲部を斜め下方へ膨出させたので、ばね材の基端にかかる荷重を緩和させることができる。
【００１８】
さらに、本発明は、操作筒３０は透明材または半透明材からなるので、計量時において容器体内容物の計量状態を確認することができる。
【００１９】
さらに、本発明は、キャップ本体１０は剛性かつ弾性を有する材質からなるので、キャップ本体と一体のばね材も同様の性質を有することとなって適正なばね力を発揮させることが可能となる。
【００２０】
さらに、本発明は、Ｕ字状に屈曲させたばね材の一対の基端部２４ａ、２４ｂを窓部の下側面へ一体に連結させると共に、該ばね材の中間部を前方へ凸の弯曲部に形成したので、支点としてのバネ材の基端部にかかる荷重を２箇所に分散させることが可能であり、したがって、ばね材の破損防止が可能であると共に、Ｕ字に屈曲形成されているから、二重のばね材を用いるのと同様の効果が得られることになり、したがって、ばね力を増大させることができる。
【図面の簡単な説明】
【００２１】
【図１】(ａ)本発明に係る計量キャップの図１(ｂ)Ａ−Ａ線に沿う断面図である。        (ｂ)一部を断面にした左右方向側面図である。
【図２】容器体を倒立させた作用説明図である。
【図３】ばね材の変形例を示す略示図である。
【発明を実施するための形態】
【００２２】
以下、本発明の実施の形態について、図面を参照しながら詳細に説明する。なお、説明の便宜上、図１の左右方向を前後方向とする。
【００２３】
図１において、１は容器体で、胴部上端から肩部を介して口頸部を起立する。
【００２４】
１０はキャップ本体で、容器体１の口頸部へ装着筒１１を螺合させると共に、装着筒１１上面の左右方向中間部に筐体部１２を設けて、筐体部１２の下面を形成する底壁と装着筒１１の上面を形成する頂壁とを共用壁１３で共用させる。
【００２５】
筐体部１２の下面には左右方向へ流入口１４を、また上面には左右方向へ流出口１５を、それぞれ前後方向へ位置をずらして形成すると共に、筐体部１２の左右両側壁に窓部１７を開設する。
【００２６】
２０はばね材で、その基端部を窓部１７の周縁部へ一体に連結させると共に、その先端部を後述の操作筒３０へ係合させている。本実施形態では、窓部１７の下側面から基端部としての起立部２１を一体に起立させ、該起立部２１より上方のばね材部分を後方へ凸の弯曲部２２に形成すると共に、該弯曲部２２とばね材先端部との間のばね材部分を前方へ凸の弯曲部２３に形成する。その際、後方へ凸の弯曲部２２は斜め上後方へ膨出させ、また前方へ凸の弯曲部２３は斜め下前方へ膨出させるのが好ましい。
【００２７】
ばね材２０としては、上記に限定されることなく次のように構成することも可能である。すなわち、図３に示すように上方へ凸のＵ字状に屈曲させたばね材の一対の基端部２４ａ、２４ｂを窓部１７の下側面へ一体に連結させると共に、該ばね材の下部を前方へ凸の弯曲部に形成する。したがって、一対の基端部２４ａ、２４ｂは図１に示すように窓部１７下側面から起立することなく、倒伏して窓部下側面に一体に接触した状態にある。
【００２８】
上記ではばね材２０の基端部は窓部１７の下側面へ連結させているが、ばね材２０を倒立させることで基端部を窓部１７上側面へ連結させることも可能である。
【００２９】
キャップ本体１０についてさらに説明すると、流出口１５周縁から筒栓嵌合用の周壁１８を起立させると共に、筐体部１２の後面を開口させる。本実施形態では筐体部１２は箱形状とする。なお、キャップ本体１０は剛性かつ弾性を有する材質、例えば、硬質のポリプロピレンで形成するのが好ましい。
【００３０】
３０は操作筒で、筐体部１２内へ前後動自在かつ密に嵌合させた筒体３１内に、該筒体３１の軸線と直交する一対の仕切板３２を前後方向へ所定の間隔をおいて配置して、該一対の仕切板３２間に計量室３３を形成すると共に、一対の仕切板間の筒体３１部分の一部を切除して、上面開口３４と下面開口３５との上下一対の開口を形成することで計量室３３の上下両面を開口させており、上面開口３４は筐体部１２の流出口１５へ、下面開口３５は流入口１４へ、それぞれ連通可能に構成させる。
【００３１】
計量室３３より前方の操作筒３０部分の左右両壁外面には円形状の突部３６を設けて、この突部３６にばね材２０の先端部後面を係合させる。その際、ばね材２０が突部３６から外れないようにばね材２０の先端後面に突起を設けて、この突起を突部３６へ係合させる。なお、上記では突部３６はＵ字状のばね材の内部に位置するが、ばね材の外部後面へ位置させることも可能である。
【００３２】
なお、計量室３３の左右両側面は内方へ傾斜させると共に、計量室３３後壁から上面開口の箱状体３８を突設して、該箱状体３８を操作筒３０の押込み部に形成する。また、操作筒３０の材質としては容器体内容物が視認可能な無色ないし有色の透明材または半透明材が好ましく、さらにキャップ本体１０および操作筒３０は合成樹脂製とする。
【００３３】
次に、本実施形態の作用について説明する。
不使用時は、図１に示すように、操作筒３０は後部がキャップ本体１０から後方へ突出し、計量室３３の下面開口３５はキャップ本体１０の流入口１４と連通しているが、計量室３３の上面開口３４はキャップ本体１０の流出口１５とは連通していない。
【００３４】
容器体内容物を定量取り出すためには、図１の状態から容器体１を倒立させればよい。すると容器体内容物が流入口１４を介して計量室３３内へ流入する。次いで図３に示すように容器体倒立状態で操作筒３０を押し込むと、流入口１４が閉塞されると共に、計量室３３の上面開口３４が流出口１５と連通するため、計量室３３内の容器体内容物が流出口１５を介して流出する。
【００３５】
操作筒３０は上記のように筐体部１２の窓部１７内に設けられたばね材２０により後方へ弾発付勢されており、したがって、計量注出時には操作筒３０をばね材２０の付勢力に抗して押し込むことが必要になるが、注出後はばね材２０の付勢力により操作筒３０は自動的に後方へ移動して元の位置に復帰することになる。
【００３６】
上記のようにばね材２０には弯曲部が設けられているので、操作筒３０の前後動に際してばね材２０に力がかかっても支点としてのばね材の基端部に荷重が集中することがなく、したがって、ばね材の基端部が破損するおそれがない。このようなばね材の機能に鑑みれば、本発明のようにばね材２０を筐体部１２と一体に形成することなく別体に形成することも考えられるが、部品点数削減および組立容易性の観点からして一体に形成することが必要である。
【産業上の利用可能性】
【００３７】
本発明は、容器体内容物を定量的に取り出すために用いられる計量キャップの分野に利用することができる。
【符号の説明】
【００３８】
１０  キャップ本体
１２  筐体部
流入口１４流入口１４
流出口１５流出口１５
１７  窓部
２０  ばね材
２１  起立部
２２  後方へ凸の弯曲部
２３  前方へ凸の弯曲部
３０  操作筒
３３  計量室
３４  上面開口
３５  下面開口
３６  突部
【図１】
0005413912.tif 000002
【図２】
0005413912.tif 000003
【図３】
0005413912.tif 000004